(57)【要約】【課題】  標的狙いの練習を効果的かつ効率的に行うため、卓球台の任意の位置に簡易に取付けまたは据え置きすることができ、さらに標的の位置や大きさを自在に変える機能を備えた卓球練習器を提供する。【解決手段】  卓球台に取付けてボールの打球方向や落下位置をコントロールするための卓球練習器であって、卓球台の端部に把持着脱自在のクリップ１１と、前記クリップ１１の下部に具備され卓球台に吸着固定するための吸盤１５と、前記クリップ１１の上部に固定支持され上方に伸長した全方位湾曲自在のフレキシブルアーム１２と、前記フレキシブルアーム１２の自由端に連結されたアーム管１３と、前記アーム管１３の先端部に直径可変手段を有する板バネ輪１４とを備えたことを特徴とする。【選択図】図２
0003227719.tif 000002
【実用新案登録請求の範囲】
【請求項１】
卓球台に取付けてボールの打球方向や落下位置をコントロールするための卓球練習器であって、卓球台の端部に把持着脱自在のクリップと、前記クリップの下部に具備され卓球台に吸着固定するための吸盤と、前記クリップの上部に固定支持され上方に伸長した全方位湾曲自在のフレキシブルアームと、前記フレキシブルアームの自由端に連結されたアーム管と、前記アーム管の先端部に直径可変手段を有する板バネ輪とを備えたことを特徴とする卓球練習器。
【請求項２】
卓球台に取付けてボールの打球方向や落下位置をコントロールするための卓球練習器であって、卓球台の任意の位置に据え置き自在の基台と、前記基台に固定支持され上方に伸長した伸縮自在の伸縮アームと、前記伸縮アームの自由端に直径可変手段を有する板バネ輪とを備えたことを特徴とする卓球練習器。
【請求項３】
前記直径可変手段は、前記アーム管または前記伸縮アームの先端部に設けた径方向の貫通穴に前記板バネ輪の両端をそれぞれ異方向から貫通突出させ、前記板バネ輪の突出両端部に円形の直径調節つまみをそれぞれ設けたことを特徴とする請求項１または２に記載の卓球練習器。
【請求項４】
前記吸盤の内側上部にマグネットを備えたことを特徴とする請求項１に記載の卓球練習器。
【請求項５】
前記アーム管には、遠隔操作手段を有しボールの打球方向や落下位置の指示または合図を行うための点滅ライトを備え、前記点滅ライトの電源コードは前記フレキシブルアームに内挿され外部電源に接続されていることを特徴とする請求項１または３に記載の卓球練習器。
【請求項６】
前記板バネ輪にはその全周を開口部として取り付けられる捕球袋と、前記捕球袋を奥まで拡げておくための着脱自在の捕球袋支え・標的掛けピンを備えたことを特徴とする請求項１または２に記載の卓球練習器。
【請求項７】
前記捕球袋支え・標的掛けピンは細長形状とされ、その先端部には標的掛け用フックが設けられ、また前記標的掛け用フックの近傍には板バネ輪取付け用フックが設けられたことを特徴とする請求項６に記載の卓球練習器。
【請求項８】
前記標的掛け用フックには標的、目印または鈴が吊り下げられていることを特徴とする請求項７に記載の卓球練習器。
【考案の詳細な説明】
【技術分野】
【０００１】  本考案は、卓球台の任意の位置に取付けてボールの打球方向や落下位置のコントロール技術の向上を図るための卓球練習器に関する。
【背景技術】
【０００２】  卓球の技術の向上には相互に打ち返す練習に加えて一人で行える素振り練習等がなされているが、特に中級・上級者ではサービス（サーブ）やレシーブ（リターン）を行う際の打球の方向や落下位置を正確にコントロールする技術が要求されるため、様々な練習用具が考案され用いられている。（特許文献１または２参照）
【先行技術文献】
【特許文献】
【０００３】
【特許文献１】登録実用新案第３１８３３４５号公報
【特許文献２】登録実用新案第３２２０８６１号公報
【考案の概要】
【考案が解決しようとする課題】
【０００４】  上述のように、卓球の技術の向上を図るため様々な練習用具が考案され用いられているが、特にサービスやレシーブでボールを直接打って行う練習方法では相手側のコートにラケットを置いたり、また立体形の絵板や紙コップを伏せて置くなど仮置きの標的狙いという原始的な方法が未だに用いられている。この標的狙いの方法では、標的にボールが当たると標的がズレたり、倒れたり、落下したりするので都度立て直すなど元に戻すという作業が必要となり練習の効率が著しく低下していた。また、多球練習においても同様の課題があった。【０００５】  本考案は、標的狙いの練習を効果的かつ効率的に行うため、卓球台の任意の位置に簡易に取付けまたは据え置きすることができ、さらに標的の位置や大きさを自在に変える機能を備えた卓球練習器を提供することを目的とする。
【課題を解決するための手段】
【０００６】  上記目的を達成するため、本考案の卓球練習器は、卓球台の任意の位置に取り付けて使用することのできる卓球練習器と、ネット際近傍への据え置き用の卓球練習器とからなり、前者の卓球練習器は、卓球台の端部に把持着脱自在のクリップと、前記クリップの下部に具備され卓球台に吸着固定するための吸盤と、前記クリップの上部に固定支持され上方に伸長した全方位湾曲自在のフレキシブルアームと、前記フレキシブルアームの自由端に連結されたアーム管と、前記アーム管の先端部に直径可変手段を有する板バネ輪とを備えたことを特徴としている。【０００７】  また、後者のネット際近傍への据え置き用の卓球練習器は、卓球台の任意の位置に据え置き自在の基台と、前記基台に固定支持され上方に伸長した伸縮自在の伸縮アームと、前記伸縮アームの自由端に直径可変手段を有する板バネ輪とを備えたことを特徴としている。
【考案の効果】
【０００８】  本考案の請求項１に記載の卓球練習器を使用すれば、相手コートの予め定めた狙い方向や想定する落下位置に簡単に標的をセッティングすることができ、また練習者の難易度に合わせて板バネ輪の直径すなわち標的の大きさを簡易に変更でき、さらに板バネ輪に捕球袋を取付けることで成功率を一目で確認することができるため、多球練習も併せて効果的かつ効率的な練習を行うことができる。【０００９】  また、本考案の請求項２に記載の卓球練習器を使用すれば、ネット際の任意の位置に簡易に据え置くことができ、かつ標的の大きさや高さも自在に調整できる機能を有しているため、特にネット際の方向や高さを狙う練習を効果的かつ効率的に行うことができる。
【図面の簡単な説明】
【００１０】
【図１】  本考案に係る卓球練習器を示す外観斜視図である。
【図２】  図１の卓球練習器の板バネ輪に捕球袋を取り付けた状態を示す外観斜視図である。
【図３】  図１の卓球練習器の吸盤の正面中央部の断面拡大図である。
【図４】  本考案に係るネット際据え置き用の卓球練習器を示す外観斜視図である。
【図５】  図４の卓球練習器の板バネ輪に捕球袋を取り付けた状態を示す外観斜視図である。
【考案を実施するための形態】
【００１１】  以下、本考案に係る卓球練習器１及びネット際近傍への据え置き用の卓球練習器２の実施の形態について、図１〜図５に基づいて説明する。
【００１２】  図１〜図３に示す卓球練習器１において、１１はクリップで把持部１１ａとハンドル部１１ｂから構成されており、クリップ１１の下部には吸盤１５を具備している。卓球練習器１を卓球台の端部に取り付ける場合は把持部１１ａを用い、端部以外に取り付ける場合は吸盤１５を使用するようにすれば卓球台の任意の位置に卓球練習器１の着脱を簡易に行うことができる。なお、このクリップ１１は市販の布団ばさみなどを流用してもよい。
また、図３は吸盤１５の内部に請求項４に記載のようにマグネット１５ａを具備している図であるが、卓球台の表面が粗く吸盤の使用が困難な場合にフラットバーなどの鉄系の磁着体とともに使用すれば卓球台の表面に卓球練習器１を安定的に取付けることができる。
【００１３】  クリップ１１の上部にはクリップ１１に固定ナット１２ａにより固定され上方に伸長した全方位湾曲自在のフレキシブルアーム１２が具備され、このフレキシブルアーム１２の自由端にはアーム管１３が連結固定されている。さらにアーム管１３の先端部には直径可変手段を有する板バネ輪１４を備えている。
【００１４】  直径可変手段は請求項３に記載のように、アーム管１３の先端部に設けた径方向の貫通穴１３ａに板バネ輪１４の両端をそれぞれ異方向から貫通突出させ、板バネ輪１４の突出両端部に円形の直径調節つまみ１４ａを設けている。直径調節つまみ１４ａは、板バネ輪１４の突出両端部の抜け止めを兼ねている。なお、実施例では直径調節つまみ１４ａは円形としているが、角形または楕円形でもよい。
板バネ輪１４の直径の調整は、突出両端部の直径調節つまみ１４ａを指でつまんで押し引きすれば簡単に行うことができる。
【００１５】  また、アーム管１３には請求項５に記載のように、遠隔操作手段を有しボールの打球方向や落下位置の指示または合図を行うための点滅ライト１６を備え、点滅ライト１６の電源コード１７はフレキシブルアーム１２に内挿され外部電源に接続されている。
【００１６】  板バネ輪１４には請求項６〜８に記載のように、板バネ輪１４の全周を開口部として取り付けられる捕球袋３１と、この捕球袋３１を奥まで拡げておくための着脱自在の捕球袋支え・標的掛けピン３０を備えている。
この捕球袋支え・標的掛けピン３０は細長形状で、その先端部には標的掛け用フック３０ｂが設けられ、また標的掛け用フック３０ｂの近傍には板バネ輪取付け用フック３０ａが設けられている。
【００１７】  また、図示していないがこの捕球袋支え・標的掛けピン３０の他方の先端にもフックを設けこのフックに板バネ輪１４と同等またはやや小さい直径の剛体輪っかを掛けておけば捕球袋３１を奥まで確実に拡げておくことができ、さらにフレキシブルアーム１２の向きを変えたために捕球袋支え・標的掛けピン３０の位置が横乃至下側に来たときでも捕球袋３１が萎むことなく拡げた状態を維持することができる。なお、図面の捕球袋３１は透明袋を想定しているため、捕球袋支え・標的掛けピン３０は実線で記載している。
標的掛け用フック２０ｂには練習目的や練習者の趣味に応じて標的、目印または鈴を吊り下げれば遊び心を持ってコントロール練習を行うことができる。
【００１８】  卓球練習器１を使用すれば、相手コートの予め定めた狙い方向や想定する落下位置に簡単に標的をセッティングすることができ、また練習者の難易度に合わせて板バネ輪１４の直径すなわち標的の大きさを簡易に変更でき、さらに板バネ輪１４に捕球袋３１を取付けることで成功率を一目で確認することができるため、多球練習も併せて効果的かつ効率的な練習を行うことができる。
【００１９】  次に、ネット際近傍への据え置き用の卓球練習器２の実施の形態について図４〜図５に基づいて説明する。
２１は金属製の基台で、この基台２１の上部には図示していないがねじ式などにより固定支持され上方に伸長した伸縮自在の伸縮アーム２２と、伸縮アーム２２の自由端に直径可変手段を有する板バネ輪２４を備えている。伸縮アーム２２は、釣り竿方式で伸縮アームＡ２２ａと伸縮アームＢ２２ｂとから構成されており、上下方向のスライドにより簡易に高さ調整を行うことができる。
なお、基台２１は安定的な据え置きを要するため重量のある金属製としているが、これを樹脂や軽金属製とし、底面に面ファスナーを貼り付けるようにしてもよい。この場合、この面ファスナーの対面用として卓球台に置く板の上面の一部にも同じサイズの面ファスナーを貼り付けておく必要がある。
【００２０】  直径可変手段は卓球練習器１と同様の構造とされ、板バネ輪２４の直径の調整は、突出両端部の直径調節つまみ２４ａを指でつまんで押し引きすれば簡単に行うことができる。
【００２１】  板バネ輪２４には卓球練習器１と同様に、板バネ輪２４の全周を開口部として取り付けられる捕球袋３１と、この捕球袋３１を奥まで拡げておくための着脱自在の捕球袋支え・標的掛けピン３０を備えている。
この捕球袋支え・標的掛けピン３０は細長形状で、その先端部には標的掛け用フック３０ｂが設けられ、また標的掛け用フック３０ｂの近傍には板バネ輪取付け用フック３０ａが設けられている。
【００２２】  なお、伸縮アーム２２ａｂ先端には卓球練習器１と同様に遠隔操作手段を有しボールの打球方向や落下位置の指示または合図を行うための点滅ライト１６を備えてもよい。
【００２３】  卓球練習器２を使用すれば、ネット際の任意の位置に簡易に据え置くことができ、かつ標的の大きさや高さも自在に調整できる機能を有しているため、特にネット際の方向や高さを狙う練習を効果的かつ効率的に行うことができる。
【符号の説明】
【００２４】  １    卓球練習器
２    卓球練習器（ネット際据え置き用）
１１    クリップ
１１ａ  把持部
１１ｂ  ハンドル部
１２    フレキシブルアーム
１２ａ  固定ナット
１３    アーム管
１３ａ  貫通穴
１４、２４    板バネ輪
１４ａ、２４ａ  直径調整つまみ
１５    吸盤
１５ａ  マグネット
１６    点滅ライト
１７    電源コード
２１    基台
２２    伸縮アーム
２２ａ  伸縮アームＡ
２２ｂ  伸縮アームＢ
３０    捕球袋支え・標的掛けピン
３０ａ  板バネ輪取付け用フック
３０ｂ  標的掛け用フック
３１    捕球袋
３２    標的
【図１】
0003227719.tif 000003
【図２】
0003227719.tif 000004
【図３】
0003227719.tif 000005
【図４】
0003227719.tif 000006
【図５】
0003227719.tif 000007
【手続補正書】
【提出日】令和2年5月30日(2020.5.30)
【手続補正１】
【補正対象書類名】実用新案登録請求の範囲
【補正対象項目名】請求項２
【補正方法】変更
【補正の内容】
【請求項２】
卓球台に取付けてボールの打球方向や落下位置をコントロールするための卓球練習器であって、卓球台の任意の位置に据え置き自在の基台と、前記基台に固定支持され上方に伸長した伸縮自在の伸縮アームと、前記伸縮アームの自由端に直径可変手段を有する板バネ輪とを備え、前記直径可変手段は、前記伸縮アームの先端部に設けた径方向の貫通穴に前記板バネ輪の両端をそれぞれ異方向から貫通突出させ、前記板バネ輪の突出両端部に円形の直径調節つまみをそれぞれ設けたことを特徴とする卓球練習器。
【手続補正２】
【補正対象書類名】実用新案登録請求の範囲
【補正対象項目名】請求項３
【補正方法】変更
【補正の内容】
【請求項３】
前記直径可変手段は、前記アーム管の先端部に設けた径方向の貫通穴に前記板バネ輪の両端をそれぞれ異方向から貫通突出させ、前記板バネ輪の突出両端部に円形の直径調節つまみをそれぞれ設けたことを特徴とする請求項１に記載の卓球練習器。
【手続補正３】
【補正対象書類名】実用新案登録請求の範囲
【補正対象項目名】請求項５
【補正方法】変更
【補正の内容】
【請求項５】
前記アーム管には、遠隔操作手段を有しボールの打球方向や落下位置の指示または合図を行うための点滅ライトを備え、前記点滅ライトの電源コードは前記フレキシブルアームに内挿され外部電源に接続されていることを特徴とする請求項１に記載の卓球練習器。